(57)【要約】【課題】調節要素の調節量を比較的少なくしつつも、こぶや凹みが比較的少ないあるいは小さいフィルムロール体を形成できるインフレーシン成形装置を提供する。【解決手段】インフレーション成形装置は、チューブ状のフィルムを成形し、それを折りたたんで扁平フィルムとし、扁平フィルムを巻き取ってロール体を形成する。インフレーション成形装置は、チューブ状のフィルムの厚みを調節するための調節要素の調節量を、扁平フィルムの厚みに関する情報に基づいて決定する制御装置７を備える。【選択図】図３
2020163748.tif 000002
【特許請求の範囲】
【請求項１】
チューブ状のフィルムを成形し、それを折りたたんで扁平フィルムとし、扁平フィルムを巻き取ってロール体を形成するインフレーション成形装置であって、
チューブ状のフィルムの厚みを調節するための調節要素の調節量を、扁平フィルムの厚みに関する情報に基づいて決定する制御装置を備えることを特徴とするインフレーション成形装置。
【請求項２】
前記制御装置は、前記情報が示す厚みと、扁平フィルムの基準厚みとの比較結果に基づいて、前記調節要素の調節量を決定することを特徴とする請求項１に記載のインフレーション成形装置。
【請求項３】
前記制御装置は、前記情報が示す扁平フィルムの幅方向の或る位置の厚みと、扁平フィルムの基準厚みとが等しい場合、チューブ状のフィルムの対応する２つの部分について、調節要素を調節しないことを特徴とする請求項１または２に記載のインフレーション成形装置。
【請求項４】
前記制御装置は、前記情報が示す扁平フィルムの幅方向の或る位置の厚みと、扁平フィルムの基準厚みとが異なる場合、チューブ状のフィルムの対応する２つの部分について、チューブ状のフィルムの基準厚みとの差を互いに比較し、差が大きい方の調節量が差が小さい方の調節量よりも大きくなるように、調節要素を調節することを特徴とする請求項１から３のいずれかに記載のインフレーション成形装置。
【請求項５】
前記情報が示す厚みは、チューブ状のフィルムの対応する２つの部分の厚みの計測値であることを特徴とする請求項１から４のいずれかに記載のインフレーション成形装置。
【発明の詳細な説明】
【技術分野】
【０００１】
本発明は、インフレーション成形装置に関する。
【背景技術】
【０００２】
溶かした樹脂をダイからチューブ状に押し出し、その内側に空気を吹き込んで膨らませ、薄いフィルムを成形するインフレーション成形が知られている。従来では、調節要素としてのリップ幅を調節することにより、フィルムの厚みを目標範囲内に収める技術が提案されている。
【先行技術文献】
【特許文献】
【０００３】
【特許文献１】国際公開第２０１７／０９０６９４号
【発明の概要】
【発明が解決しようとする課題】
【０００４】
インフレーション成形では、調節要素の調節量をできるだけ少なくしたいという要望がある。特許文献１によれば、フィルムの厚みを周方向に比較的均一にできるため、こぶや凹みの少ないあるいは小さいフィルムロール体を形成できるが、上述の要望については考慮できていない。
【０００５】
本発明はこうした状況に鑑みてなされたものであり、そのある態様の例示的な目的のひとつは、調節要素の調節量を比較的少なくしつつも、こぶや凹みが比較的少ないあるいは小さいフィルムロール体を形成できるインフレーション成形装置を提供することにある。
【課題を解決するための手段】
【０００６】
上記課題を解決するために、本発明のある態様のインフレーション成形装置は、チューブ状のフィルムを成形し、それを折りたたんで扁平フィルムとし、扁平フィルムを巻き取ってロール体を形成するインフレーション成形装置であって、チューブ状のフィルムの厚みを調節するための調節要素の調節量を、扁平フィルムの厚みに関する情報に基づいて決定する制御装置を備える。
【０００７】
なお、以上の構成要素の任意の組み合わせや、本発明の構成要素や表現を方法、装置、システムなどの間で相互に置換したものもまた、本発明の態様として有効である。
【発明の効果】
【０００８】
本発明によれば、調節要素の調節量を比較的少なくしつつも、こぶや凹みが比較的少ないあるいは小さいフィルムロール体を形成できるインフレーシン成形装置を提供できる。
【図面の簡単な説明】
【０００９】
【図１】第１の実施の形態に係るインフレーション成形装置の概略構成を示す図である。
【図２】図２（ａ）、（ｂ）は、フィルムの断面形状を示す図である。
【図３】図１の制御装置の機能および構成を模式的に示すブロック図である。
【図４】第２の実施の形態の変形例に係るインフレーション成形装置の概略構成を示す図である。
【発明を実施するための形態】
【００１０】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００１１】
図１は、第１の実施の形態に係るインフレーション成形装置１の概略構成を示す。インフレーション成形装置１は、ダイ２と、冷却装置３と、一対の安定板４と、引取機５と、厚み計測部６と、制御装置７と、を備える。
【００１２】
押出機（不図示）から供給される溶融した樹脂が、ダイ２に形成されたリング状の吐出口２ａから押し出される。その際、ダイ２の中心部に形成されたエア噴出口２ｂから、押し出された樹脂の内側にエアが噴出され、チューブ状に膨らんだフィルム（以下、「バブル」とも呼ぶ）が成形される。
【００１３】
ダイ２は、不図示の調節要素により、周方向の各位置の吐出口１８ａの幅（以下、リップ幅という）を調節可能に構成されている。リップ幅を調節することで、対応する位置のフィルムの厚みを調節できる。
【００１４】
冷却装置３は、ダイ２の上方に配置される。冷却装置３は、バブルに冷却風を吹き付けて冷却する。
【００１５】
一対の安定板４は、冷却装置３の上方に配置され、バブルを引取機５に案内する。引取機５は、安定板４の上方に配置される。引取機５は、一対のピンチロール３８を含む。一対のピンチロール３８は、不図示のモータに駆動されて回転し、案内されたバブルを引っ張り上げながら扁平に折りたたむ。以下、扁平に折りたたまれたフィルムを「扁平フィルム」とも呼ぶ。巻取機２０は、扁平フィルムを巻き取り、フィルムロール体１１を形成する。
【００１６】
厚み計測部６は、冷却装置３と安定板４との間に配置される。厚み計測部６は、バブルの周りを回りながら、バブルの周方向の各位置の厚みを計測する。厚み計測部６により計測された厚みデータは制御装置７に送信される。
【００１７】
制御装置７は、インフレーション成形装置１を統合的に制御する装置である。
【００１８】
図２（ａ）、（ｂ）は、フィルムの断面形状を示す図である。図２（ａ）は、バブルの横断面図であり、図２（ｂ）は、扁平フィルムの横断面図である。バブルは、図２（ａ）に示すように略円形状の横断面を有する。扁平フィルムは、図２（ｂ）に示すように、バブルが周方向位置０°と１８０°で折りたたまれた２枚重ねのフィルムである。つまり、扁平フィルムは、バブルの周方向位置０°〜１８０°の部分と、周方向位置３６０°〜１８０°の部分とが重なり合った２枚重ねのフィルム、より具体的には周方向位置θの各部分と、周方向位置（３６０°−θ）の各部分とが重なり合った２枚重ねのフィルムである。
【００１９】
図３は、制御装置７の機能および構成を模式的に示すブロック図である。ここに示す各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００２０】
制御装置７は、種々の通信プロトコルにしたがって厚み計測部６との通信処理を実行する通信部４０と、ユーザによる操作入力を受け付け、また各種画面を表示部に表示させるＵ／Ｉ部４２と、通信部４０およびＵ／Ｉ部４２から取得されたデータをもとにして各種のデータ処理を実行するデータ処理部４６と、データ処理部４６により参照、更新されるデータを記憶する記憶部４８と、を含む。
【００２１】
記憶部４８は、厚み記憶部６４を含む。厚み記憶部６４は、厚み計測部６から送信された厚みデータを記憶する。
【００２２】
データ処理部４６は、受信部５０と、決定部５２と、動作制御部５４と、を含む。
【００２３】
受信部５０は、厚み計測部６から厚みデータを受信する。受信部５０は、受信した厚みデータを厚み記憶部６４に記憶させる。
【００２４】
決定部５２は、厚み記憶部６４に記憶された、バブルの周方向の各位置での厚みの計測値に基づいて、周方向の各位置のリップ幅の調節量を決定する。決定部５２は特に、バブルの周方向の各位置の厚みが許容範囲に収まり、かつ、フィルムロール体１１の外周に大きなこぶや凹みができないように、周方向の各位置のリップ幅の調節量を決定する。
【００２５】
ここで、バブルの厚みが周方向で均一であれば、外周に大きなこぶや凹みのないフィルムロール体１１を形成できるが、バブルの厚みが周方向で均一でなくても、それを折りたたんだ扁平フィルムの厚みＴ（図２（ｂ）参照）が幅方向で均一であれば、外周に大きなこぶや凹みのないフィルムロール体１１を形成できる。これを考慮して、本実施の形態では、調節量を少なくするべく、以下のように周方向の各位置のリップ幅の調節量を決定する。
【００２６】
（１）バブルを折りたたんだときに重なり合う２つの部分の厚み、すなわち周方向位置（θ）でのバブルの厚みの計測値ｔθ（図２（ａ）参照）と、周方向位置（３６０°−θ）でのバブルの厚みの計測値ｔ３６０°−θ（図２（ａ）参照）がいずれもバブルの基準厚み(目標の厚みまたは周方向の平均の厚み)と等しい場合
【００２７】
この場合、重なり合う２つの部分の厚みを足し合わせた厚み、すなわち当該２つの部分に対応する扁平フィルムの厚みは、扁平フィルムの基準厚み（バブルの基準厚みの２倍の厚み）と等しくなる。この場合、決定部５２は、重なり合う２つの部分に対応するリップ幅の調節量をゼロ（リップ幅を調節しない）と決定する。
【００２８】
（２）バブルを折りたたんだときに重なり合う２つの部分の厚みがいずれもバブルの基準厚みよりも厚い場合
【００２９】
この場合、重なり合う２つの部分の厚みを足し合わせた厚み、すなわち当該２つの部分に対応する扁平フィルムの厚みは、扁平フィルムの基準厚みよりも厚くなる。この場合、決定部５２は、当該２つの部分のうちの一方に対応するリップ幅のみを調節して、足し合わせた厚みを扁平フィルムの基準厚みに等しくさせる。
【００３０】
好ましくは、決定部５２は、当該２つの部分のバブル基準厚みとの差を互いに比較した上で、バブルの基準厚みとの差が大きい方に対応するリップ幅のみを調節して、足し合わせた厚みを扁平フィルムの基準厚みに等しくさせる。例えば、決定部５２は、一方の厚みがバブルの基準厚み＋０．２ｍｍであり、他方の厚みがバブルの基準厚み＋０．３ｍｍであれば、基準厚みとの差が大きい他方の厚みが基準厚み−０．２ｍｍとなるように、対応するリップ幅の調節量を決定する。
【００３１】
なお、決定部５２は、バブルの基準厚みとの差が小さい方に対応するリップ幅のみを調節してもよく、例えば一方の厚みがバブルの基準厚み＋０．２ｍｍであり、他方の厚みがバブルの基準厚み＋０．３ｍｍであれば、基準厚みとの差が小さい一方の厚みが基準厚み−０．３となるように、対応するリップ幅の調節量を決定してもよい。
【００３２】
（３）バブルを折りたたんだときに重なり合う２つの部分の厚みがいずれもバブルの基準厚みよりも薄い場合
【００３３】
この場合、重なり合う２つの部分の厚みを足し合わせた厚み、すなわち当該２つの部分に対応する扁平フィルムの厚みは、扁平フィルムの基準厚みよりも薄くなる。この場合、決定部５２は、当該２つの部分のうちの一方に対応するリップ幅のみを調節して、足し合わせた厚みを扁平フィルムの基準厚みに等しくさせる。
【００３４】
好ましくは、決定部５２は、当該２つの部分のうち、バブルの基準厚みとの差が大きい方に対応するリップ幅のみを調節して、足し合わせた厚みを扁平フィルムの基準厚みに等しくさせる。例えば、決定部５２は、一方の厚みが基準厚み−０．２ｍｍであり、他方の厚みが基準厚み−０．３ｍｍであれば、基準厚みとの差が大きい他方の厚みが基準厚み＋０．２ｍｍとなるように、対応するリップ幅の調節量を決定する。
【００３５】
なお、決定部５２は、バブルの基準厚みとの差が小さい方に対応するリップ幅のみを調節してもよく、例えば一方の厚みが基準厚み−０．２ｍｍであり、他方の厚みが基準厚み−０．３ｍｍであれば、基準厚みとの差が小さい一方の厚みが基準厚み＋０．３ｍｍとなるように、対応するリップ幅の調節量を決定してもよい。
【００３６】
（４）バブルを折りたたんだときに重なり合う２つの部分のうちの一方の厚みがバブルの基準厚みよりも厚く、他方の厚みがバブルの基準厚みよりも薄い場合
【００３７】
この場合、決定部５２は、まず、重なり合う２つの部分の厚みを足し合わせた厚み、すなわち当該２つの部分に対応する扁平フィルムの厚みと、扁平フィルムの基準厚みとを比較する。
【００３８】
両者が等しければ、決定部５２は、当該２つの部分に対応するリップ幅の調節量をゼロと決定する。両者が等しくなければ、決定部５２は、重なり合う２つの部分のうち、バブルの基準厚みとの絶対差が大きい方に対応するリップ幅のみを調節して、足し合わせた厚みを扁平フィルムの基準厚みと等しくさせる。例えば、決定部５２は、バルブの基準厚みとの絶対差が小さい方に対応するリップ幅の調節量をゼロと決定する。また、決定部５２は、バブルの基準厚みとの絶対差が大きい方については、例えば絶対差が小さい方の厚みがバブルの基準厚み＋０．２ｍｍであり、絶対差が大きい方の厚みがバブルの基準厚み−０．３ｍｍであれば、絶対差が大きい方の厚みがバブルの基準厚み−０．２ｍｍとなるように、対応するリップ幅の調節量を決定する。
【００３９】
なお、決定部５２は、当該２つの部分のバブル基準厚みとの絶対差を互いに比較した上で、バブルの基準厚みとの絶対差が小さい方に対応するリップ幅のみを調節して、足し合わせた厚みを扁平フィルムの基準厚みと等しくさせてもよい。この場合、決定部５２は、バルブの基準厚みとの絶対差が大きい方に対応するリップ幅の調節量をゼロと決定する。また、決定部５２は、バブルの基準厚みとの絶対差が小さい方については、例えば絶対差が小さい方の厚みがバブルの基準厚み＋０．２ｍｍであり、絶対差が大きい方の厚みがバブルの基準厚み−０．３ｍｍであれば、絶対差が小さい方の厚みがバブルの基準厚み＋０．３ｍｍとなるように、対応するリップ幅の調節量を決定してもよい。
【００４０】
動作制御部６０は、インフレーション成形装置１の動作を制御する。動作制御部６０は特に、決定部５２が決定した調節量にしたがって、リップ幅を制御する。
【００４１】
以上が、インフレーション成形装置１の構成である。続いてその動作について説明する。この処理は、所定の周期で繰り返し実行される。
【００４２】
厚み計測部６は、成形中に、バブルの周方向の各位置の厚みを計測し、計測した厚みを制御装置７に送信する。
【００４３】
制御装置７は、バブルの周方向の各位置の厚みに基づいて、扁平フィルムの厚みが幅方向で均一になるように周方向の各位置のリップ幅の調節量を決定する。そして制御装置７は、決定にしたがって周方向の各位置のリップ幅を調節する。
【００４４】
続いて、本実施の形態が奏する効果について述べる。本実施の形態によれば、折りたたんだときに重なり合う２つの部分がいずれもバブルの基準厚みよりも厚い場合、または、いずれも基準厚みよりも薄い場合、当該２つの部分のうちの一方に対応するリップ幅のみが調整され、他方に対応するリップ幅は調節されない。これにより、調節量（調節箇所）を比較的少なくできる。また、好ましくは、当該２つの部分のうち、バブルの基準厚みとの差が大きい方に対応するリップ幅のみが調節される。この場合、そうではない場合と比べ、当該２つの部分の厚みをバブルの基準厚みに近づけることができる。
【００４５】
また、本実施の形態によれば、折りたたんだときに重なり合う２つの部分の一方の厚みがバブルの基準厚みよりも厚く、他方の厚みがバブルの基準厚みよりも薄い場合、当該２つの部分の厚みを足し合わせた厚みが扁平フィルムの基準厚みと等しければ、当該２つの部分に対応するリップ幅は調節されない。これにより、調節量（調節箇所）を比較的少なくできる。
【００４６】
当該２つの部分の厚みを足し合わせた厚みが扁平フィルムの基準厚みと等しくなければ、当該２つの部分のうちの一方に対応するリップ幅のみが調節され、他方に対応するリップ幅は調節されない。これにより、調節量（調節箇所）を比較的少なくできる。また、好ましくは、当該２つの部分のうち、バブルの基準厚みとの絶対差が大きい方に対応するリップ幅のみが調節される。この場合、そうではない場合と比べ、当該２つの部分の厚みをバブルの基準厚みに近づけることができる。
【００４７】
以上、本発明の一側面について、第１の実施の形態をもとに説明した。続いて第１の実施の形態に関連する変形例を説明する。
【００４８】
第１の実施の形態についての、第１の変形例を説明する。
実施の形態および上述の変形例では、バブルの厚みが基準厚みよりも厚い場合も基準厚みよりも薄い場合も、対応するリップ幅を調節する場合について説明したが、基準厚みよりも薄い場合にだけリップ幅を調節してもよいし、基準フィルム厚よりも厚い場合にだけリップ幅を調節してもよい。本変形例によれば、調節量（調節箇所）を少なくできる。
【００４９】
第１の実施の形態についての、第２の変形例を説明する。
実施の形態および上述の変形例では、扁平フィルムの厚みを基準厚みに近づけるようリップ幅を制御する場合について説明したが、所定の周期で、扁平フィルムの厚みを、基準厚みに対して現在の厚みを反転させた厚みにするよう制御してもよい。
【００５０】
（１）バブルを折りたたんだときに重なり合う２つの部分の厚みがいずれもバブルの基準厚みと等しい場合
この場合、決定部５２は、実施の形態と同様に、重なり合う２つの部分に対応するリップ幅の調節量をゼロと決定する。
【００５１】
（２）バブルを折りたたんだときに重なり合う２つの部分の厚みがいずれもバブルの基準厚みよりも厚い場合、または、いずれもバブルの基準厚みよりも薄い場合
この場合、決定部５２は、重なり合う２つの部分の両方に対応するリップ幅を調節して、当該２つの部分の厚みを足し合わせた厚みを、扁平フィルムの基準厚みに対して現在の扁平フィルムの厚みを反転させた厚みにするよう決定する。例えば、決定部５２は、当該２つの部分のうちの一方の厚みがバブルの基準厚み＋０．２ｍｍであり、他方の厚みがバブルの基準厚み＋０．３ｍｍであれば、すなわち足し合わせた厚みが（２×基準厚み＋０．５ｍｍ）であれば、足し合わせた厚みが（２×基準厚み−０．５ｍｍ）となるように、つまり反転後の扁平フィルムの厚みが現在の扁平フィルムの厚み−１．０ｍｍとなるように、重なり合う２つの部分に対応するリップ幅の調節量を決定する。
【００５２】
この場合、決定部５２は例えば、当該２つの部分の厚みの変化量が等しくなるように、当該２つの部分に対応するリップ幅の調節量を決定してもよい。具体的には決定部５２は、当該２つの部分の厚み変化量がいずれも０．５ｍｍになるように、すなわち当該一方の厚みがバブルの基準厚み−０．３ｍｍ、当該他方の厚みがバブルの基準厚み−０．２ｍｍになるように、対応するリップ幅の調節量を決定してもよい。
【００５３】
また例えば、決定部５２は、当該２つの部分のバブル基準厚みとの差を互いに比較した上で、バブルの基準厚みとの差が小さい方に対応するリップ幅の調節量が小さく（言い換えると厚みの変化量が小さく）、バブルの基準厚みとの差が大きい方に対応するリップ幅の調節量が大きく（言い換えると厚みの変化量が大きく）なるように各調節量を決定してもよい。具体的には例えば、決定部５２は、バブルの基準厚みとの差が小さい当該一方の厚みがバブルの基準厚み−０．１ｍｍ（厚みの変化量は０．３ｍｍ）、バブルの基準厚みとの差が大きい当該他方の厚みがバブルの基準厚み−０．４ｍｍ（厚みの変化量は０．７ｍｍ）になるように、対応するリップ幅の調節量を決定してもよい。また例えば、決定部５２は、当該一方の厚みがバブルの基準厚み−０．２５ｍｍ（厚みの変化量は０．４５ｍｍ）、当該他方の厚みもバブルの基準厚み−０．２５ｍｍ（厚みの変化量は０．５５ｍｍ）になるように、すなわち基準厚みとの差が当該２つの部分で等しくなるように、対応するリップ幅の調節量を決定してもよい。また例えば、決定部５２は、当該一方の厚みをバブルの基準厚み＋０．２ｍｍのままとし（厚みの変化量は０ｍｍ）、当該他方の厚みがバブルの基準厚み−０．７ｍｍ（厚みの変化量は１．０ｍｍ）になるように、対応するリップ幅の調節量を決定してもよい。つまり、バブルの基準厚みとの差が大きい方に対応するリップ幅のみを調節してもよい。
【００５４】
また例えば、決定部５２は、当該２つの部分のバブル基準厚みとの差を互いに比較した上で、バブルの基準厚みとの差が小さい方に対応するリップ幅の調節量が大きく（言い換えると厚みの変化量が大きく）、バブルの基準厚みとの差が大きい方に対応するリップ幅の調節量が小さく（言い換えると厚みの変化量が小さく）なるように各調節量を決定してもよい。具体的には例えば、決定部５２は、バブルの基準厚みとの差が小さい当該一方の厚みがバブルの基準厚み−０．４ｍｍ（厚みの変化量は０．６ｍｍ）、バブルの基準厚みとの差が大きい当該他方の厚みがバブルの基準厚み−０．１ｍｍ（厚みの変化量は０．４ｍｍ）になるように、対応するリップ幅の調節量を決定してもよい。また例えば、決定部５２は、当該一方の厚みがバブルの基準厚み−０．８ｍｍ（厚みの変化量は１．０ｍｍ）、当該他方の厚みがバブルの基準厚み＋０．３ｍｍのまま（厚みの変化量は０ｍｍ）となるように、対応するリップ幅の調節量を決定してもよい。つまり、バブルの基準厚みとの差が小さい方に対応するリップ幅のみを調節してもよい。
【００５５】
（３）バブルを折りたたんだときに重なり合う２つの部分のうちの一方の厚みがバブルの基準厚みよりも厚く、他方の厚みがバブルの基準厚みよりも薄い場合
【００５６】
この場合、決定部５２は、まず、重なり合う２つの部分の厚みを足し合わせた厚み、すなわち当該２つの部分に対応する扁平フィルムの厚みと、扁平フィルムの基準厚みとを比較する。
【００５７】
両者が等しければ、決定部５２は、当該２つの部分に対応するリップ幅の調節量をゼロと決定する。両者が等しくなければ、決定部５２は、重なり合う２つの部分のうちの少なくとも一方に対応するリップ幅を調節して、当該２つの部分の厚みを足し合わせた厚みを、扁平フィルムの基準厚みに対して現在の扁平フィルムの厚みを反転させた厚みにするよう決定する。例えば、決定部５２は、当該２つの部分のうちの一方の厚みがバブルの基準厚み＋０．２ｍｍであり、他方の厚みがバブルの基準厚み−０．３ｍｍであれば、すなわち足し合わせた厚みが（２×基準厚み−０．１ｍｍ）であれば、足し合わせた厚みが（２×基準厚み＋０．１ｍｍ）となるように、つまり反転後の扁平フィルムの厚みが現在の扁平フィルムの厚み＋０．２ｍｍとなるように、重なり合う２つの部分に対応するリップ幅の調節量を決定する。
【００５８】
この場合、決定部５２は例えば、当該２つの部分の厚みの変化量が等しくなるように、当該２つの部分に対応するリップ幅の調節量を決定してもよい。具体的には決定部５２は、当該２つの部分の厚み変化量がいずれも０．１ｍｍになるように、すなわち当該一方の厚みがバブルの基準厚み＋０．３ｍｍ、当該他方の厚みがバブルの基準厚み−０．２ｍｍになるように、対応するリップ幅の調節量を決定してもよい。
【００５９】
また例えば、決定部５２は、当該２つの部分のバブル基準厚みとの差を互いに比較した上で、バブルの基準厚みとの差が小さい方に対応するリップ幅の調節量が小さく（言い換えると厚みの変化量が小さく）、バブルの基準厚みとの差が大きい方に対応するリップ幅の調節量が大きく（言い換えると厚みの変化量が大きく）なるように各調節量を決定してもよい。具体的には例えば、決定部５２は、バブルの基準厚みとの差が小さい当該一方の厚みがバブルの基準厚み＋０．２５ｍｍ（厚みの変化量は０．０５ｍｍ）、バブルの基準厚みとの差が大きい当該他方の厚みがバブルの基準厚み−０．１５ｍｍ（厚みの変化量は０．１５ｍｍ）になるように、対応するリップ幅の調節量を決定してもよい。また例えば、決定部５２は、当該一方の厚みがバブルの基準厚み＋０．０５ｍｍ（厚みの変化量は０．１５ｍｍ）、当該他方の厚みもバブルの基準厚み＋０．０５ｍｍ（厚みの変化量は０．３５ｍｍ）になるように、すなわち基準厚みとの差が当該２つの部分で等しくなるように、対応するリップ幅の調節量を決定してもよい。
【００６０】
また例えば、決定部５２は、当該２つの部分のバブル基準厚みとの差を互いに比較した上で、バブルの基準厚みとの差が小さい方に対応するリップ幅の調節量が大きく（言い換えると厚みの変化量が大きく）、バブルの基準厚みとの差が大きい方に対応するリップ幅の調節量が小さく（言い換えると厚みの変化量が小さく）なるように各調節量を決定してもよい。具体的には例えば、決定部５２は、バブルの基準厚みとの差が小さい当該一方の厚みがバブルの基準厚み＋０．３５ｍｍ（厚みの変化量は０．１５ｍｍ）、バブルの基準厚みとの差が大きい当該他方の厚みがバブルの基準厚み−０．２５ｍｍ（厚みの変化量は０．０５ｍｍ）になるように、対応するリップ幅の調節量を決定してもよい。また例えば、決定部５２は、当該一方の厚みがバブルの基準厚み＋０．４ｍｍ（厚みの変化量は０．２ｍｍ）、当該他方の厚みがバブルの基準厚み−０．３ｍｍのまま（厚みの変化量は０ｍｍ）となるように、対応するリップ幅の調節量を決定してもよい。つまり、バブルの基準厚みとの差が小さい方に対応するリップ幅のみを調節してもよい。
【００６１】
本変形例によれば、扁平フィルムの幅方向の或る位置について、基準厚みよりも厚い扁平フィルムと基準厚みよりも薄い扁平フィルムとが交互に巻かれて平均化されるため、フィルムロール体１１の厚みは幅方向で均一になる。つまり、フィルムロール体１１のこぶや凹みが少なくあるいは小さくできる。
【００６２】
第１の実施の形態についての、第３の変形例を説明する。
実施の形態および上述の変形例では、厚み計測部６により計測したバブルの周方向の各位置の厚みに基づいて、扁平フィルムの幅方向の各位置の厚みを推測し、推測した扁平フィルの厚みが基準厚みである位置については、対応するリップ幅を調節しない場合について説明したが、これには限定されない。図４は、変形例に係るインフレーション成形装置１の概略構成を示す図である。本変形例では、インフレーション成形装置１は、引取機５と巻取機２０の間に、扁平フィルムの幅方向の各位置の厚みを計測する別の厚み計測部２２をさらに備える。厚み計測部２２は、計測した厚みデータを制御装置７に送信する。決定部５２は、厚み計測部２２により計測された、扁平フィルムの幅方向の各位置の厚みと、扁平フィルムの基準厚み（バブルの基準厚みの２倍）とを比較する。決定部５２は、扁平フィルムの幅方向の各位置について、扁平フィルムの基準厚みと厚みが等しい位置については、対応する２つのリップ幅の調節量をゼロと決定し、そうでない位置については、特に限定はしないが、例えば、対応する２つのリップ幅のうちの一方のリップ幅のみを調節するよう決定してもよいし、厚みの変化量が等しくなるように両方のリップ幅を調節するよう決定してもよいし、バブルの基準厚みとの絶対差が等しくなるように両方のリップ幅を調節するよう決定してもよい。本変形例によれば、実施の形態と同様の効果を奏することができる。
【００６３】
（第２の実施の形態）
第２の実施の形態について、第１の実施の形態との相違点を中心に説明する。
【００６４】
本実施の形態では、決定部５２は、バブルの周方向の各位置の厚みに基づいて各位置のリップ幅の調節量を決定する、すなわち折りたたまれたときに重なり合う部分の厚みによらずに各位置のリップ幅の調節量を決定する。
【００６５】
具体的には決定部５２は、バブルの基準厚みよりも厚い部分を基準厚みにするよう対応するリップ幅の調節量を決定し、バブルの基準厚みと同じかそれよりも薄い部分に対応するリップ幅の調節量をゼロと決定する。
【００６６】
なお変形例として、決定部５２は、反対に、バブルの基準厚みよりも薄い部分を基準厚みにするよう対応するリップ幅の調節量を決定し、バブルの基準厚みと同じかそれよりも厚い部分に対応するリップ幅の調節量をゼロと決定してもよい。
【００６７】
本実施の形態によれば、調節量（調節箇所）を少なくできる。
【００６８】
以上、本発明の一側面について、第２の実施の形態をもとに説明した。
【００６９】
続いて、第１、第２の実施の形態の共通の変形例について説明する。
【００７０】
第１、第２の実施の形態では、リップ幅を調節することにより、バブルの周方向の各位置の厚み、ひいては扁平フィルムの幅方向の各位置の厚みを調節する場合について説明したが、これには限定されず、リップ幅に代えて、またはリップ幅に加えて、少なくとも１つの他の調節要素を調節することによりこれを実現してもよい。この場合、決定部５２が、他の調節要素の調節量も決定する。なお、他の調節要素としては、例えば冷却風の風量、風温が挙げられる。
【００７１】
また、第１、第２の実施の形態では、リップ幅を調節しているうちに、リップ幅の調節代を使い切ってしまう事態が生じうる。特に、第１の実施の形態の第１の変形例や第２の実施の形態のように、バブルの基準厚みよりも厚い場合にだけ、あるいは基準厚みよりも薄い場合にだけリップ幅を調節すると、そのような事態が生じやすい。調節代を使い切ってしまうと、それ以上の調節ができなくなる。
【００７２】
そこで制御装置７は、調節代を使い切った場合、あるいは周方向のいずれかの位置の調節代の残りが所定値以下になった場合、例えば周方向のすべての位置の調節代を、また例えば調節代を使い切ったもしくは調節代の残りが所定値になった調節代を、例えば成形開始時の状態に戻すなどして確保してもよいし、所定量だけ確保するようにしてもよい。この場合、調節代を確保したことによる影響を、他の調節要素、例えば冷却風の風量、風温またはそれらの両方を調節することによって吸収し、バブルの厚みが許容範囲から外れないようにしてもよい。なお、調節代を確保したことによる影響を吸収するための他の調節要素の調節量は、実験等に基づいて予め決定しておけばよい。
【００７３】
制御装置７は、調節代を確保した周方向の位置および確保した量を記憶してもよい。また、制御装置７は、調節代を確保するために調節した対応する他の調節要素の周方向の位置および調節量を記憶してもよい。制御装置７は、記憶した周方向の各位置の調節代の確保量や、調節代を確保するために調節した他の調節要素の周方向の位置および調節量を、設定条件が表示される画面に表示してもよい。
【００７４】
また、制御装置７は、リップ幅の調節代を使い切った場合、それ以降は、フィルムの厚みを調節するための調節要素をリップ幅から他の調節要素に変更してもよい。例えば、制御装置７は、リップ幅の調節代を使い切った場合、それ以降は冷却風の風量、風温またはそれらの両方を調節することによってフィルムの厚みを調節してもよい。そして制御装置７は、周方向の各位置が、現在どの調節要素で調節されているかを画面上に表示させてもよい。具体的には例えば、制御装置７は、周方向の各位置について、或る位置はリップ幅で調節され、別の位置は冷却風で調節され、さらに別の位置はリップ幅と冷却風の両方で調節されている、といった情報を画面上に表示させてもよい。
【００７５】
以上、実施の形態に係るインフレーション成形装置の構成と動作について説明した。これらの実施の形態は例示であり、それらの各構成要素の組み合わせにいろいろな変形例が可能なこと、またそうした変形例も本発明の範囲にあることは当業者に理解されるところである。
【符号の説明】
【００７６】
１  インフレーション成形装置、  ２  ダイ、  ６  厚み計測部、  ７  制御装置、  ５２  決定部。
【図１】
2020163748.tif 000003
【図２】
2020163748.tif 000004
【図３】
2020163748.tif 000005
【図４】
2020163748.tif 000006